(57)【要約】【課題】従来では、ディスクや記録再生装置のクリーニングおよび物理フォーマットを行うタイミングは、記録再生装置に装備されたＬＥＤが点滅して、ディスクに書き込みができなくなる現象が発生した時のみとなっており、ディスクや記録再生装置のクリーニングおよび物理フォーマットを行うタイミングを早期に知る仕組みがないということ。【解決手段】フォーマット処理を行う段階で、フォーマット対象のディスクの交替数を取得し、物理フォーマットを実行する必要があるかどうかを判定するディスク検査部１０２と、ユーザーに通知するユーザー通知処理部１０３を付加する。この結果、ディスクの交替管理領域を使い切らないうちに物理フォーマットを実行できる効果と、ディスクや記録再生装置のクリーニングを推奨することによるディスクやドライブのメンテナンス効果と、ディスクに記録されたデータをバックアップする作業が不要になる効果が期待できる。【選択図】図１
2006323912.tif 000002
【特許請求の範囲】
【請求項１】
記録媒体の交替数を取得し、前記交替数に基づいて、前記記録媒体に対する物理フォーマットを実行する必要があるかどうかを判定するディスク検査部と、
前記ディスク検査部で物理フォーマットが必要と判定されたとき、前記記録媒体に対して物理フォーマットと論理フォーマットを行い、前記ディスク検査部で物理フォーマットが不要と判定されたとき、前記記録媒体に対して論理フォーマットを行うフォーマット処理部とを備えたことを特徴とするディスク初期化装置。
【請求項２】
ユーザーからの入力を受け付ける指示部と、
前記ディスク検査部で物理フォーマットが必要と判定されたとき、所定のメッセージをユーザーに通知するユーザー通知処理部をさらに備え、
前記フォーマット処理部は、前記指示部からの指示があった後、前記記録媒体に対してフォーマット処理を行う請求項１記載のディスク初期化装置。
【請求項３】
記録媒体の交替数を取得し、前記交替数に基づいて、前記記録媒体に対する物理フォーマットを実行する必要があるかどうかを判定する第１のステップと、
前記第１のステップで物理フォーマットが必要と判定されたとき、前記記録媒体に対して物理フォーマットを行う第２のステップと、
前記第１のステップで物理フォーマットが不要と判定されたとき、または前記第２のステップで物理フォーマットが行われた後、前記記録媒体に対して論理フォーマットを行う第３のステップを有するディスク初期化方法。
【請求項４】
記録媒体の交替数を取得し、前記交替数に基づいて、前記記録媒体に対する物理フォーマットを実行する必要があるかどうかを判定する第１のステップと、
前記第１のステップで物理フォーマットが必要と判定されたとき、前記記録媒体に対して物理フォーマットを行う第２のステップと、
前記第１のステップで物理フォーマットが不要と判定されたとき、または前記第２のステップで物理フォーマットが行われた後、前記記録媒体に対して論理フォーマットを行う第３のステップを実行するディスク初期化プログラム。
【発明の詳細な説明】
【技術分野】
【０００１】
本発明は、ディスク初期化手段を備えたディスク初期化装置に関するものである。
【背景技術】
【０００２】
従来のディスク初期化装置でのディスク初期化の動作について図６を用いて説明する。
図６は、従来のディスク初期化装置でのディスク初期化の動作を説明するフローチャートである。
【０００３】
図６において、ステップＳ６０１は、ユーザーが選択したフォーマットモードを取得する。従来のディスク初期化装置は、デフォルト選択では論理フォーマットのみを行い、物理フォーマットはユーザーによる選択によって開始するものが多い。論理フォーマット動作は、ステップＳ６０３において論理フォーマットで処理した後、フォーマット動作が終了する。物理フォーマット動作は、ステップＳ６０２において物理フォーマットで処理してから、ステップＳ６０３において論理フォーマットで処理した後、フォーマット動作が終了する（例えば、特許文献１参照）。
【特許文献１】特開平８−１６１１２１号公報
【発明の開示】
【発明が解決しようとする課題】
【０００４】
従来では、記録再生装置に装着されたディスクの交替管理領域を使い切っている場合、記録再生装置に装備されたＬＥＤが点滅し、以後、そのディスクに書き込みができなくなる。ディスクの交替数が増加する原因は、ディスクや記録再生装置の汚れに起因するものが多く、前記現象が発生したディスクは、ディスクや記録再生装置のクリーニングおよび物理フォーマットを行うことで、再度、書き込みが可能になる。
【０００５】
従来では、ディスクや記録再生装置のクリーニングおよび物理フォーマットを行うタイミングは、上記現象が発生した時のみとなっており、ディスクや記録再生装置のクリーニングおよび物理フォーマットを行うタイミングを早期に知る仕組みがないという課題を有していた。
【０００６】
さらに、上記現象が発生した場合、物理フォーマットを行う前には、ディスクに記録されたデータをバックアップする作業が必要となる場合が多いという課題も有していた。
【０００７】
本発明は、上記課題を解決するためになされたもので、前記従来の構成に、フォーマット対象のディスクを検査して、早期にディスクや記録再生装置のクリーニングおよび物理フォーマットを行うタイミングを通知する機能を付加したディスク初期化装置を提供することを目的とする。
【課題を解決するための手段】
【０００８】
上記課題を解決するために、本発明のディスク初期化装置は、フォーマット処理を行う前に、フォーマット対象のディスクの交替数を取得して、物理フォーマットを実行する必要があるかどうかを判定する機能を有している。
【０００９】
また、本発明のディスク初期化装置は、フォーマット対象のディスクは物理フォーマットを実行する必要があると判定した場合にのみ、あらかじめ設定していたメッセージでユーザーに通知する機能をさらに有している。
【発明の効果】
【００１０】
本発明のディスク初期化装置によれば、フォーマット対象のディスクを検査し、物理フォーマットを実行する必要があるかどうかを判定してユーザーに通知する機能を有するので、ディスクの交替管理領域を使い切らないうちに、物理フォーマットを実行することができる効果が期待できる。
【発明を実施するための最良の形態】
【００１１】
以下、本発明を実施するための最良の形態について、図面を参照しながら説明する。
【００１２】
（実施の形態１）
図１は、本発明におけるディスク初期化装置の構成図である。
【００１３】
図１において、１０１はユーザーが選択したフォーマットモードを取得するフォーマット開始処理部、１０２はフォーマット対象のディスクの交替数を取得して物理フォーマットを実行する必要があるかどうかを判定するディスク検査部、１０３はディスク検査部１０２でフォーマット対象のディスクは物理フォーマットを実行する必要がある場合にのみユーザーに通知するユーザー通知処理部、１０４は論理フォーマット動作もしくは物理フォーマット動作を行うフォーマット処理部、１０５はフォーマット動作が終了した後の処理を行うフォーマット終了処理部である。
【００１４】
本発明におけるディスク初期化装置では、ディスク検査部１０２とユーザー通知処理部１０３を追加したものである。
【００１５】
図２は、本発明の実施の形態１におけるディスク初期化装置でのディスク初期化の動作を説明するためフローチャートである。以下、本発明のディスク初期化装置の動作について図１および図２を参照しながら説明する。
【００１６】
ステップＳ２０１はユーザーが選択したフォーマットモードを取得するステップで、フォーマット開始処理部１０１に相当する。
【００１７】
ユーザーが物理フォーマットを選択した場合は、ステップ２０４において物理フォーマットを実行してから、ステップ２０５において論理フォーマットを実行する。この処理は、フォーマット処理部１０４に相当する。
【００１８】
ユーザーが論理フォーマットを選択した場合は、ステップＳ２０２に移行してディスク検査を行う。ステップ２０３では、ステップ２０２においてディスク検査の結果、物理フォーマットを実行する必要があると判定された場合はステップ２０４で物理フォーマットを実行し、物理フォーマットを実行する必要がないと判定された場合はステップ２０５で論理フォーマットを実行する。
【００１９】
前記ステップＳ２０２とステップＳ２０３は、ディスク検査部１０２に相当する。
【００２０】
図３は、本発明の実施の形態１におけるディスク検査方法について説明するためのフローチャートである。
【００２１】
ステップＳ３０１では、フォーマット対象のディスクの交替数を取得するための特定のコマンドを発行し、交替数を取得する。
【００２２】
ステップＳ３０２では、ステップＳ３０１で取得した交替数が、一定数を超えていないかどうかを検査する。一定数を超えている場合、交替数が急激に増加し、交替管理領域を使い切ってしまってディスクに書き込みができなくなる傾向が出ているため、物理フォーマットを実行する必要があると判定して、ステップＳ３０４で物理フォーマットを実行する処理を行う。一定数を超えていない場合、ステップＳ３０３で論理フォーマットを実行する処理を行う。
【００２３】
本発明のディスク初期化装置は、図７のように構成しても良い。図７において図１と同じ符号を有するものは同じ動作を行うので詳細な説明は省略する。図７において７００はユーザーからの入力を受け付ける指示部、７０１はディスク検査部１０２、ユーザー通知処理部１０３、フォーマット処理部１０４を制御する制御部である。このように構成された動作について図２および図３を参照しながら説明する。
【００２４】
ユーザーはまず指示部７００からフォーマットモードを入力する。前述のようにフォーマットモードには物理フォーマットと論理フォーマットがあり、ユーザーはいずれかのフォーマットを入力する（Ｓ２０１）。
【００２５】
指示部７００において物理フォーマットが選択されると、制御部７０１はフォーマット処理部１０４に対して物理フォーマット処理を実行した後（Ｓ２０４）、論理フォーマット処理を実行する（Ｓ２０５）よう指示する。
【００２６】
一方、指示部７００において論理フォーマットが選択されると、制御部７０１はディスク検査部１０２に対してディスク検査を行うよう指示する（Ｓ２０２）。ディスク検査部１０２では前述のように図３に示すような処理が行われる。そしてディスク検査部１０２において物理フォーマットを実行する必要があると判定された場合は、制御部７０１はフォーマット処理部１０４に対して物理フォーマット処理を実行した後（Ｓ２０４）、論理フォーマット処理を実行する（Ｓ２０５）よう指示する。物理フォーマットを実行する必要がないと判定された場合は、制御部７０１はフォーマット処理部１０４に対して論理フィーマット処理を実行する（Ｓ２０５）よう指示する。
【００２７】
（実施の形態２）
前記実施の形態１では、自動的に物理フォーマットを実行する場合について説明を行った。しかしディスクや記録再生装置のクリーニングを実施しなければ、物理フォーマットを実行しても改善しない場合も想定される。ディスクや記録再生装置のクリーニングが必要な場合には、物理フォーマットを行うタイミングをユーザーに通知する機能が必要である。そこで本実施の形態２においては、ユーザー通知機能を含めたディスク初期化装置の例について説明する。
【００２８】
図４は、本発明の実施の形態２におけるディスク初期化装置でのディスク初期化の動作を説明するためフローチャートであり、図２と同じ構成要素については同じ記号を用い、説明を省略する。
【００２９】
ステップＳ２０１において論理フォーマットを選択して、ステップＳ２０２とＳ２０３によって、フォーマット対象のディスクは物理フォーマットを実行する必要があると判定された場合は、ステップＳ４０１に移行する。
【００３０】
ステップＳ４０１では、フォーマット対象のディスクは物理フォーマットを実行する必要があることをユーザーに通知する。
【００３１】
ステップＳ４０２では、このままフォーマットを続行するかどうかをユーザーにたずねるメッセージを表示する。ここで、ユーザーがフォーマットを続行することを選択した場合、ステップＳ２０４で物理フォーマットを実行する。一方で、フォーマットを中止することを選択した場合、フォーマットを中止する。
【００３２】
前記ステップＳ４０１とステップＳ４０２は、ユーザー通知処理部１０３に相当する。
図５は、本発明の実施の形態２におけるユーザー通知方法について説明するためのフローチャートである。
【００３３】
ステップＳ５０１では、フォーマット対象のディスクは物理フォーマットを実行する必要があることをユーザーに通知するために、あらかじめ設定しておいたメッセージを表示する。表示するメッセージは、フォーマット対象のディスクは交替数が多いために物理フォーマットを実行する必要があるということ、およびディスクや記録再生装置のクリーニングを推奨するということを示す。
【００３４】
ステップＳ５０２では、このままフォーマットを続行するかどうかをたずねるメッセージを表示し、フォーマット続行かフォーマット中止かをユーザーに選択させる。
【００３５】
ユーザーがフォーマットを続行することを選択した場合、ステップＳ５０３で物理フォーマットを実行するための処理が行われ、ユーザーがフォーマットを中止することを選択した場合、ステップＳ５０４でフォーマットを中止するための処理が行われる。
【００３６】
ここで説明したディスク初期化装置は、図７のような構成としても良い。図7においては、実施の形態１で述べたように構成された動作について図４および図５を参照しながら説明する。実施の形態１で述べたように、ユーザーにより指示部７００から物理フォーマットが選択されると制御部７０１はフォーマット処理部１０４に対して物理フォーマット処理を実行した後（Ｓ２０４）、論理フォーマット処理（Ｓ２０５）を行うよう指示する。一方論理フォーマットが選択されると制御部７０１はディスク検査部１０２にディスク検査を行うよう指示する（Ｓ２０２）。ディスク検査部１０２で物理フォーマットが必要でないと判定された場合には、制御部７０１はフォーマット処理部１０４に対して論理フォーマット処理を行うよう指示する（Ｓ２０５）。ディスク検査部１０２で物理フォーマットが必要と判定された場合には、制御部７０１はユーザー通知処理部１０３に対してユーザー通知を行うよう指示する（Ｓ４０１）。ユーザー通知処理部１０３は、このままフォーマットを続行するか否かをユーザーにたずねるメッセージを表示する。ユーザー通知処理部１０３の処理内容は図５で説明したとおりである。
【００３７】
ユーザー通知処理部１０３でフォーマットを続行することが選択された場合には、制御部７０１はフォーマット処理部１０４に対して物理フォーマット処理を実行した後（Ｓ２０４）、論理フォーマット処理を実行する（Ｓ２０５）よう指示する。一方フォーマットを中止することが選択された場合には、制御部７０１はフォーマット処理を中止する。
【００３８】
このような本発明のディスク初期化装置によると、ユーザー通知を行うことで、早期にディスクや記録再生装置のクリーニングを推奨するので、クリーニングを行うことによってディスクや記録再生装置のメンテナンス効果が期待できる。
【００３９】
また、ディスク初期化装置において、ユーザー通知を行うため、ディスクに記録されたデータをバックアップする作業が不要になることも可能となる効果も期待できる。
【産業上の利用可能性】
【００４０】
本発明にかかるディスク初期化装置は、ディスクや記録再生装置のクリーニングおよび物理フォーマットのタイミングを早期にユーザーに通知する機能を付加するので、ディスクや記録再生装置のクリーニングおよび物理フォーマットを早期に実行することが可能なので、ディスク初期化手段として有用である。
【図面の簡単な説明】
【００４１】
【図１】本発明におけるディスク初期化装置の構成図
【図２】本発明の実施の形態1におけるディスク初期化装置でのディスク初期化の動作のフローチャート
【図３】本発明の実施の形態1におけるディスク検査方法のフローチャート
【図４】本発明の実施の形態２におけるディスク初期化装置でのディスク初期化の動作のフローチャート
【図５】本発明の実施の形態２におけるユーザー通知方法のフローチャート
【図６】従来のディスク初期化装置でのディスク初期化の動作のフローチャート
【図７】本発明におけるディスク初期化装置のブロック図
【符号の説明】
【００４２】
１０１    フォーマット開始処理部
１０２    ディスク検査部
１０３    ユーザー通知処理部
１０４    フォーマット処理部
１０５    フォーマット終了処理部
【図１】
2006323912.tif 000003
【図２】
2006323912.tif 000004
【図３】
2006323912.tif 000005
【図４】
2006323912.tif 000006
【図５】
2006323912.tif 000007
【図６】
2006323912.tif 000008
【図７】
2006323912.tif 000009